(57)【要約】  人体を収容する折り畳み可能なチャンバ内に高濃度酸素と共に液体のミストを所定の圧力値で供給することで、人体の皮膚及び粘膜から効率よく酸素及びミストを吸収させることが可能な酸素浴システムを提供する。人体を収容するチャンバ（５１）と、空気に酸素ガスを加えて２５乃至４０％の酸素ガスを含有する空気ガスを前記チャンバ内に加圧供給するガス供給手段（１１、４１）と、液体を供給する液体供給手段（２１）と、前記液体のミストを生成するミスト生成手段（３１）と、を備え、前記生成したミストを前記チャンバ内に供給する。ここで、チャンバ（５１）は、可撓性を有する塩化ビニール材によって形成され、少なくとも内圧１．４気圧に耐えられ得る構造体である。
2011081121.tif 000002
【特許請求の範囲】
【請求項１】
人体を収容するチャンバと、
所定濃度の酸素を含有するガスを供給するガス供給手段と、
液体を供給する液体供給手段と、
前記ガス供給手段から供給される前記ガスと前記液体供給手段から供給される前記液体とから当該液体のミストを生成するミスト生成手段と、
前記ミスト生成手段から供給されるミストと前記ガス供給手段から供給されるガスと空気とから生成する２５乃至４０％の酸素ガスを含有するガスとを加圧して前記チャンバ内に供給する加圧手段と、を備え、
前記液体のミストと前記酸素ガスを含有するガスを前記チャンバ内に供給することにより、人体の皮膚及び粘膜からの酸素の吸収を促進させることを特徴とする酸素浴システム。
【請求項２】
人体を収容するチャンバと、
所定濃度の酸素を含有するガスを供給するガス供給手段と、
液体を供給する液体供給手段と、
前記ガス供給手段から供給される前記ガスと前記液体供給手段から供給される前記液体とから当該液体のミストを生成して前記チャンバ内に前記ミストを供給するミスト生成手段と、
前記ガス供給手段から供給される酸素を含有するガスと空気とから生成する２５乃至４０％の酸素ガスを含有するガスを加圧して前記チャンバ内に供給する加圧供給手段と、を備え、
前記液体のミストと前記酸素ガスを含有するガスを前記チャンバ内に供給することにより、人体の皮膚及び粘膜からの酸素の吸収を促進させることを特徴とする酸素浴システム。
【請求項３】
前記ミスト生成手段は、前記チャンバ内に配置されることを特徴とする請求項２に記載の酸素浴システム。
【請求項４】
前記チャンバは、可撓性を有する２乃至５ミリメートル厚の塩化ビニール材によって形成され、少なくとも内圧１．４気圧に耐えられ得る構造体であることを特徴とする請求項１乃至３のいずれか一項に記載の酸素浴システム。
【請求項５】
前記チャンバ内の気圧、酸素濃度、温度及び湿度の一つ又は複数を検知するセンサ類と、前記チャンバ内環境を予め設定された適正値に制御する制御手段と、をさらに備えることを特徴とする請求項１乃至３のいずれか一項に記載の酸素浴システム。
【請求項６】
前記ミスト生成手段が、前記液体供給手段から供給される液体を前記ガス供給手段からのガスと粉砕溶解してミストを生成することを特徴とする請求項１乃至３のいずれか一項に記載の酸素浴システム。
【請求項７】
前記チャンバには、当該チャンバ内に供給される所定濃度の酸素を含む空気及びミストの増大に対応して、チャンバ内の空気及びミストを排出する排気弁が設けられていることを特徴とする請求項１乃至３のいずれか一項に記載の酸素浴システム。
【請求項８】
前記液体は、水、イオン水、精製水、又は滅菌精製水の何れか一つ又は複数の組み合わせであることを特徴とする請求項１乃至３のいずれか一項に記載の酸素浴システム。
【請求項９】
前記液体には、１又は複数のアロマ成分が含まれていることを特徴とする請求項８に記載の酸素浴システム。
【請求項１０】
前記ミスト生成手段が生成するミストの粒径は、１０μｍ以下であることを特徴とする請求項１乃至３のいずれか一項に記載の酸素浴システム。
【請求項１１】
前記制御手段は、前記チャンバ内の圧力を１．１乃至１．３気圧に保持することを特徴とする請求項１乃至３のいずれか一項に記載の酸素浴システム。
【請求項１２】
前記チャンバには、当該チャンバ内の気圧が予め設定された上限を超えた時にチャンバ内のガスを排出するための安全弁が設置されていることを特徴とする請求項１１に記載の酸素浴システム。
【発明の詳細な説明】
【技術分野】
【０００１】
本発明は、人体を収容するチャンバ内に高濃度酸素と液体のミストを所定の圧力値で供給し、人体の皮膚及び粘膜から高濃度酸素及びミストを吸収させる酸素浴システムに関し、特に、可撓性素材を利用して形成されたチャンバを使用し折り畳んで収納可能なソフトタイプの酸素浴システムに関する。
【背景技術】
【０００２】
人体内に存在する酸素には、通常の肺呼吸により血液中のヘモグロビンと結び付いて人体内を運ばれる「結合型酸素」と、血液又は体液中にそのまま溶け込んで運ばれる「溶解型酸素」との二種類がある。溶解型酸素は、結合型酸素に比べてサイズが小さく、毛細血管内を通ることも可能だが、通常の生活環境ではほんの僅かしか体内に存在しない。【０００３】
一方、大気中の酸素濃度（約２１％）よりも高濃度の酸素を、大気圧以上に上昇させた高圧且つ高濃度酸素の雰囲気下で人体に供給すると、酸素ガスを溶解型酸素としてより多く人体に取り込むことが可能になる。溶解型酸素が血液又は体液中で増加すると、末梢器官まで行き渡って細胞の代謝、活性を向上させる。また、高圧酸素の酸化作用による殺菌、滅菌効果等も発揮する。そのため、疲労回復、皮膚の怪我の早期治癒等の健康増進効果や、ダイエット、老化防止等の美容促進効果が得られることが知られている。【０００４】
上記のような、高圧下で高濃度酸素を人体に供給する装置としては、高気圧式高濃度酸素供給装置が既に市販され、利用されている（例えば、特許文献１及び特許文献２を参照）。この高気圧式高濃度酸素供給装置は、人体を収容するチャンバ内に高濃度酸素を所定の圧力値で供給し、人体の皮膚及び粘膜から高濃度酸素を吸収させるものである。【０００５】
さらに、ミストサウナのように、人体の一部を閉鎖空間内に収納して、酸素ノズルから湯を人体（頭部と脚部を除く）に対してシャワー噴射する酸素浴システムも知られている（例えば、特許文献３及び特許文献４を参照）。
【先行技術文献】
【特許文献】
【０００６】
【特許文献１】特開２００４−２７５７０６号公報
【特許文献２】特開２００６−１５８５９３号公報
【特許文献３】特開２００６−７５４８２号公報
【特許文献４】特開２００８−５９１６号公報
【発明の概要】
【発明が解決しようとする課題】
【０００７】
しかし、これらの従来の酸素浴装置は、単に、１．１乃至１．３気圧程度の高圧酸素を人体に浴させるもの（特許文献１及び特許文献２の場合）、あるいは、大気圧下において湯を酸素により霧状にして噴霧して身体にシャワーするもの（特許文献３及び特許文献４の場合）である。高気圧高濃度酸素が呼吸器に吸引されることを考慮すると、上記の場合、酸素濃度の限界は３５％程度である。また、内耳圧との関係から頭部を含む人体に印加できる気圧の限界は１．４気圧程度であり、これらの制限下においては、酸素の人体への浸透性については一定の限界があった。【０００８】
本発明者は、大学の研究機関との共同研究において、高圧下且つ高濃度酸素中に極めて微細な粒径のミストを混合させてこれを人体に浴させることにより、人体の皮膚及び粘膜からの酸素吸収性が飛躍的に向上できることを知るに至った。例えば、酸素濃度３０％、１．２５気圧の雰囲気に微細な粒径のミストを付加した場合、人体の皮膚下及び粘膜への酸素吸収効率が３０％程度向上することが実験により判明したのである。これは、ミストに酸素が溶け込んだり付着した状態でミストが人体に接触すると、ミストが人体の皮膚の毛穴や粘膜に浸透するからだと推定される。従って、高濃度酸素の高圧空気に微細な粒径のミストを加えることにより、人体への酸素吸収性を飛躍的に向上させることが可能となる。【０００９】
本発明は、上記従来の問題点に鑑みて、人体を収容するチャンバ内に高濃度酸素と共に液体のミストを所定の圧力値で供給することで、人体の皮膚及び粘膜から効率よく酸素及びミストを吸収させることが可能な酸素浴システムを提供することを目的とする。
【課題を解決するための手段】
【００１０】
本発明は、上記課題を解決するために、人体を収容するチャンバと、所定濃度の酸素を含有するガスを供給するガス供給手段と、液体を供給する液体供給手段と、前記ガス供給手段から供給される前記ガスと前記液体供給手段から供給される前記液体とから当該液体のミストを生成するミスト生成手段と、前記ミスト生成手段から供給されるミストと前記ガス供給手段から供給されるガスと空気とから生成する２５乃至４０％の酸素ガスを含有するガスとを加圧して前記チャンバ内に供給する加圧手段と、を備え、前記液体のミストと前記酸素ガスを含有するガスを前記チャンバ内に供給することにより、人体の皮膚及び粘膜からの酸素の吸収を促進させることを特徴とする酸素浴システムを提供するものである。【００１１】
また本発明は、上記課題を解決するために、人体を収容するチャンバと、所定濃度の酸素を含有するガスを供給するガス供給手段と、液体を供給する液体供給手段と、前記ガス供給手段から供給される前記ガスと前記液体供給手段から供給される前記液体とから当該液体のミストを生成して前記チャンバ内に前記ミストを供給するミスト生成手段と、前記ガス供給手段から供給される酸素を含有するガスと空気とから生成する２５乃至４０％の酸素ガスを含有するガスを加圧して前記チャンバ内に供給する加圧供給手段と、を備え、前記液体のミストと前記酸素ガスを含有するガスを前記チャンバ内に供給することにより、人体の皮膚及び粘膜からの酸素の吸収を促進させることを特徴とする酸素浴システムを提供するものである。【００１２】
なお、前記ミスト生成手段は、前記チャンバ内に配置されても良い。【００１３】
ここで、本発明における前記チャンバは、可撓性を有する２乃至５ミリメートル厚の塩化ビニール材によって形成され、少なくとも内圧１．４気圧に耐えられ得る構造体である。これによって、チャンバは、使用しない時、折り畳んで収納することが可能である。【００１４】
また、本酸素浴システムにおいては、前記チャンバ内の気圧、酸素濃度、温度及び湿度の一つ又は複数を検知するセンサ類と、前記チャンバ内環境を予め設定された適正値に制御する制御手段と、をさらに備えることも可能である。【００１５】
そして、前記ミスト生成手段が、前記液体供給手段から供給される液体を前記ガス供給手段からのガスと粉砕溶解してミストを生成するのである。【００１６】
なお、前記チャンバには、当該チャンバ内に供給される所定濃度の酸素を含む空気及びミストの増大に対応して、チャンバ内の空気及びミストを排出する排気弁を設けるのが良い。【００１７】
ところで、前記液体は、水、イオン水、精製水、又は滅菌精製水の何れか一つ又は複数の組み合わせとすることができる。そして、前記液体には、１又は複数のアロマ成分を含ませることも可能である。アロマ成分としては、気分を落ち着かせる効果がある花（バラ、ラベンダ、ローズマリー、カモミール等）や香木（白檀、沈香等）の精油成分等が好適である。【００１８】
前記ミスト生成手段が生成するミストの粒径は、１０μｍ以下であり、前記制御手段は、前記チャンバ内の圧力を１．１乃至１．３気圧に保持するようにする。そして、前記チャンバには、当該チャンバ内の気圧が予め設定された上限を超えた時にチャンバ内のガスを排出するための安全弁が設置されている。
【発明の効果】
【００１９】
本発明によれば、人体を収容するチャンバ内に高濃度酸素と共に液体のミストを所定の圧力値で供給することで、人体の皮膚及び粘膜から効率よく酸素及びミストを吸収させ、酸素浴の効能の著しい向上を図ることが可能となった。また、本発明におけるチャンバは、可撓性を有する塩化ビニール材によって形成されているので、使用しない時は、小さく折り畳んで収納できるので大きな収納スペースを必要とせず低コストで提供可能である。
【図面の簡単な説明】
【００２０】
【図１】本発明の第１の実施形態に係る酸素浴システムの全体概略図である。
【図２】本発明に係る酸素浴システムに適用されるチャンバの一例を示す模式図である。
【図３】本発明の第２の実施形態に係る酸素浴システムの全体概略図である。
【図４】本発明の第３の実施形態に係る酸素浴システムの全体概略図である。
【図５】本発明に係る酸素浴システムに適用されるミスト生成手段の一例を示す模式図である（その１）。
【図６】本発明に係る酸素浴システムに適用されるミスト生成手段の一例を示す模式図である（その２）。
【図７】本発明に係る酸素浴システムに適用されるミスト生成手段の一例を示す模式図である（その３）。
【発明を実施するための形態】
【００２１】
以下、本発明の実施の形態について、図面を参照しながら詳細に説明する。
【００２２】
〔第１の実施形態〕
図１は、本発明の第１の実施形態に係る酸素浴システムの全体概略図である。この図に示すように、本実施形態の酸素浴システム１Ａは、ミスト生成手段３１Ａ又は加圧手段４１Ａに任意の濃度で酸素を含有するガス（以下、適宜「ガス」という）を供給するガス供給手段１１Ａと、ミスト生成手段３１Ａに液体を供給する液体供給手段２１Ａと、供給されたガスと液体からミストを生成するミスト生成手段３１Ａと、ミスト生成手段３１Ａで生成したミストを加圧してチャンバ５１に供給する加圧手段４１Ａと、人体を収容するチャンバ５１と、チャンバ５１内をモニタするセンサ６１と、チャンバ５１内の環境制御を行う制御装置７１と、から構成される。本発明におけるチャンバ５１は、可撓性を有する２乃至５ミリメートル厚の塩化ビニール材によって形成され、少なくとも内圧１．４気圧に耐えられ得る構造体である。
【００２３】
ガス供給手段１１Ａは、ミスト生成手段３１Ａに任意の濃度で酸素を含有するガスを供給するための手段であり、例えば、酸素ボンベや酸素濃縮装置が好適である。ただし、チャンバ５１内に十分にミストが供給されていると同時にチャンバ５１内の酸素が不足している場合は、加圧手段４１Ａを介して、あるいは直接チャンバ５１へガスが供給されても良い。ガス供給手段１１Ａには、図示しないが圧力調整のためのレギュレータが設けられる。さらに、温度制御のために温度計（図示せず）やガスを加温するためのヒータ（図示せず）を配置しても良い。
【００２４】
液体供給手段２１Ａは、ポンプ等から構成され、ミスト生成手段３１Ａに液体を供給する。この液体としては、水、イオン水、精製水、滅菌精製水を用いるのが好適である。さらに、これらの液体に使用者の疾患、症状等に有効な薬剤を含有させても良い。例えば、呼吸器系の疾患に対応する薬剤を含有させる等が考えられる。さらに、液体には、１又は複数のアロマ成分を含ませることも可能である。アロマ成分としては、気分を落ち着かせる効果がある花（バラ、ラベンダ、ローズマリー、カモミール等）や香木（白檀、沈香等）の精油成分等が挙げられる。
【００２５】
なお、この液体供給手段２１Ａには、温度制御のために温度計（図示せず）や液体を加温するためのヒータ（図示せず）を配置するのが望ましい。
【００２６】
ミスト生成手段３１Ａは、ガス供給手段１１Ａから供給されるガスと、液体供給手段２１Ａから供給される液体とを粉砕溶解（液体を粉砕し微細な液滴にしてガスと接触混合させること）してミストを生成する装置である。この際生成するミストの粒径は、１０μｍ以下であるのが好ましい。
【００２７】
このミスト生成手段３１Ａとしては、ミストを発生させる既存の装置を適用可能である。例えば流体ノズルを用いた装置（後述の図５参照）が好適である。あるいは、液体中にガスを高圧で噴射することによりミストを生成する装置（図６参照）や、超音波を利用してミストを生成する装置（図７参照）等、様々な方式のミスト生成装置を用いることができる。
【００２８】
ここで、本発明に適用されるミスト生成手段の例を、簡単に説明する。
【００２９】
まず、図５は流体ノズルを用いるミスト生成手段３０１の一例を示す図である。このミスト生成手段３０１は、ガス供給手段１１から供給されるガスの高速流を利用してミストを生成する流体ノズル３０２と、ミストを貯留する貯留部３０３と、生成されたミストを排出するミスト排出口３０４と、を有している。
【００３０】
流体ノズル３０２は、霧吹きやスプレーの原理でミストを生成する器具で、ジェット式のネブライザに用いられるような簡易なものから、複数の液体をミスト化できるものまで様々な構成のものが存在する。本発明ではどのような流体ノズル３０２を適用しても構わない。また、このミスト生成手段３０１は、複数の流体ノズル３０２を備え、各々から生成されたミスト同士を衝突させて液滴を微細化するような装置であっても構わない。
【００３１】
次に、図６に貯留された液体中に高圧でガスを放出することによってミストを生成するミスト生成手段３１１の一例を示す。このミスト生成手段３１１は、ガス供給手段１１からのガスを放出するガス放出口３１２と、液体供給手段２１から供給される液体と生成されたミストを貯留する貯留部３１３と、生成されたミストを排出するミスト排出口３１４と、を有している。貯留部３１３に液体が貯留された状態で、ガス放出口３１２からガス供給手段１１のガスを高圧で放出すると、液体をミスト化することが可能である。なお、ここではガス供給手段１１がミスト生成手段３１１に内蔵されたものを図示しているが、外付けであっても良い。
【００３２】
次に、図７に超音波振動によりミストを生成するミスト生成手段３２１の一例を示す。このミスト生成手段３２１は、液体供給手段２１から供給された液体に超音波振動を加える超音波振動子３２２と、液体供給手段２１から供給される液体と生成されたミストを貯留する貯留部３２３と、生成されたミストを排出するミスト排出口３２４と、を有している。
【００３３】
超音波振動子３２２は圧電素子を備え、貯留部３２３に液体が貯留された状態で圧電素子を作動させると、超音波振動が液体に伝達されると共に液面から微細な液滴が発生してミストとなる。
【００３４】
なお、ここでは超音波振動子３２２が直接、液体供給手段２１から供給された液体に振動を加える例を示したが、超音波を伝達させる媒体をさらに設けても良い。
【００３５】
加圧手段４１Ａは、ミスト生成手段３１Ａで生成されたミストを加圧してチャンバ５１に供給する手段であり、例えばコンプレッサを用いるのが好適である。また、この加圧手段４１Ａは、チャンバ５１内の酸素濃度の調整のために、自然給気を行った空気をチャンバ内に加圧して供給することも可能である。
【００３６】
チャンバ５１は、人体を収容し、所定濃度以上の酸素とミストが所定圧で存在する環境を作るための容器である。チャンバ５１は、折り畳み等コンパクトな収納と移動を可能にする、柔らかく軽い素材であるのが好適である。また、非通気性、非透湿性を有し、少なくとも１．４気圧までの気圧に耐えられる強度を有する。好適には、布（例えば、パラシュート素材等）、特殊ラバー（ゴムボート素材等）、シリコン等から構成される。
【００３７】
図２にチャンバ５１の一例を示す。図２（ａ）は不使用時の状態、図２（ｂ）は酸素浴を行っている状態を示している。これらの図に示すように、チャンバ５１は、内部に人体を載置するための載置部５２と、チャンバ５１を開閉するための開閉部（ここではファスナー）５３と、ミスト及び／又はガスを導入するための供給口５４を備えている。ガスを導入することにより、図２（ｂ）に示すようにチャンバ５１は次第に膨らむ。チャンバ５１内は気密をできるだけ保つ構造を有しているが、一方で、内部の気圧が所定の限界値を上回った場合に自動的に排気する安全弁５５を備えている（図１参照）。また、必要時に排気を行うための排気弁５６も備える（図１参照）。この排気弁５６によって、チャンバ５１内に供給される所定濃度の酸素を含む空気及びミストの増大に対応して、チャンバ内の空気及びミストを排出する。
【００３８】
本酸素浴システムにおいては、酸素濃度や空気圧及びミストの濃度等を、利用者が手動により設定して使用することが可能であるが、チャンバ５１内に、内部環境をモニタするための各種センサ６１を配置し、後述する制御装置７１により、これらの内部環境を自動制御することも可能である。具体的には、チャンバ５１内に、温度計６２、圧力センサ６３、酸素濃度センサ６４のうち１又は複数の各種センサ６１を配置する。なお、図示は省略するが、上記に加えて二酸化炭素濃度センサや湿度計を設置しても良い。後述する制御装置７１は、二酸化炭素濃度が一定値以上になった場合に自動排気するよう制御する。
【００３９】
制御装置７１は、チャンバ５１内を所定の環境に保つために、これらセンサ６１の計測値に基づき、各種制御を行う。温度計６２の計測値に基づく制御としては、ガス供給手段１１、液体供給手段２１に設けられたヒータのオン・オフ等を行う。圧力センサ６３の計測値に基づく制御としては、排気弁５６による排気、ガスの供給又は供給停止、ミストの生成及び供給、又はそれらの停止等がある。また、酸素濃度センサ６４の計測値に基づく制御としては、ガスの供給又は供給停止、排気弁５６による排気、空気の供給等が挙げられる。
【００４０】
制御装置７１は、ＣＰＵ、メモリ、ディスプレイを備えたコンピュータから構成され、ミストの生成、供給制御、及びチャンバ５１内の環境制御を行う。例えば、ガス供給手段１１から供給する酸素の供給圧調整や温度調整、供給のオン・オフ切替、ミスト生成手段３１／チャンバ５１への供給切替、液体供給手段２１から供給する液体の供給圧調整や温度調整、供給のオン・オフ切替、ミスト生成手段３１からのミストの供給のオン・オフ切替、チャンバ５１内の温度、気圧、酸素濃度、ミスト量の調整等々、各種制御は、利用者自身が手動により調整することができるが、制御装置７１を用いて、予め設定された適正な状態でミストを加えた酸素浴を行うことも可能である。特に、チャンバ内でミストが結露し滴下することを最小限に抑えられるように温度、気圧、ミスト量の制御を行う。なお、チャンバ５１内の圧力値が所定値以上なった場合は、制御装置７１によりミストやガスの供給が停止されるよう構成する。
【００４１】
ここで、制御装置７１が保つチャンバ５１内の好ましい環境の目安としては、（１）気圧  １．１０乃至１．３０気圧、（２）酸素濃度  ２０％以上、より好適には３０％乃至４０％、（３）温度  ２０度乃至３０度、とする。
【００４２】
なお、ミスト生成手段３１及びチャンバ５１間を繋ぐミスト供給管は、当該ミスト供給管内部において粒径の小さなミストだけがチャンバ５１内に供給されるようにするために、さらにはミスト供給管の可撓性（曲げ易さ）を得るために所謂ジャバラホースの形状とすると良い。
【００４３】
ところで、この第１の実施形態においては、加圧手段４１Ａをミスト生成手段３１Ａの下流に配置して、生成されたミストをガスや自然吸気と共に加圧するという構成としたが、逆に加圧手段４１Ａをミスト生成手段３１Ａの上流に配置し、加圧手段４１Ａをミスト生成手段３１Ａと共にガス供給手段１１Ａに接続することにより、加圧されたガスや自然吸気を用いて加圧されたミストを生成し、チャンバ５１内に供給するような構成としても良い。
【００４４】
本実施形態では、任意の濃度で酸素を含有するガスとミスト生成手段３１が生成したミストを混合させ、加圧手段４１Ａによってチャンバ５１内に加圧供給する。加圧手段４１Ａは、制御装置７１の制御によりチャンバ５１内の環境によって、自然給気や任意の濃度で酸素を含有するガスのみをチャンバ５１に送り込むことができる。
【００４５】
このように構成することにより、人体への酸素の吸収を促進させることができる。また、ミストに薬剤を含有させた場合にはさらに薬剤の作用を付加することが可能となる。
【００４６】
〔第２の実施形態〕
次に、本発明の第２の実施形態について説明する。本実施形態では、ミストの供給と、チャンバ内の加圧を異なる系統で行う構成の酸素浴システム１Ｂについて説明する。なお、図１に示す第１の実施形態と同一の部分については、同一の符号を付して詳細な説明は省略する。特に、以下では、チャンバへのミストとガスの供給手段（ガス供給手段１１、液体供給手段２１、ミスト生成手段３１、加圧手段４１）の構成が異なる以外は上記図１と同様の構成とする。
【００４７】
図３は、本発明の第２の実施形態に係る酸素浴システムの全体概略図である。この図に示すように、本実施形態の酸素浴システム１Ｂは、ミスト生成手段３１Ｂに任意の濃度で酸素を含有するガスを供給するガス供給手段１１Ｂと、ミスト生成手段３１Ｂに液体を供給する液体供給手段２１Ｂと、供給されたガスと液体からミストを生成するミスト生成手段３１Ｂと、加圧手段４１Ｂに任意の濃度で酸素を含有するガスを供給するガス供給手段１１Ｂ´と、ガス供給手段１１Ｂ´から供給されたガスを加圧してチャンバ５１に供給する加圧手段４１Ｂと、人体を収容するチャンバ５１と、チャンバ５１内をモニタするセンサ６１と、チャンバ５１内の環境制御を行う制御装置７１と、から構成される。
【００４８】
ガス供給手段１１Ｂは、ミスト生成手段３１Ｂに任意の濃度で酸素を含有するガスを供給するための手段であり、例えば、酸素ボンベや酸素濃縮装置が好適である。
【００４９】
一方、ガス供給手段１１Ｂ´は、加圧手段４１Ｂに任意の濃度で酸素を含有するガスを供給するための手段である。ガス供給手段１１Ｂと同じ濃度の酸素を含有するガスを供給しても良いし、異なる濃度であっても良い。例えば、酸素ボンベや酸素濃縮装置が好適である。
【００５０】
これらのガス供給手段１１Ｂ、１１Ｂ´には、図示しないが圧力調整のためのレギュレータが設けられる。さらに、温度制御のために温度計（図示せず）やガスを加温するためのヒータ（図示せず）を配置しても良い。
【００５１】
液体供給手段２１Ｂは、ポンプ等から構成され、ミスト生成手段３１Ｂに液体を供給する。ここで供給する液体は、第１の実施形態と同様である。この液体供給手段２１Ｂには、温度制御のために温度計（図示せず）や液体を加温するためのヒータ（図示せず）を配置するのが望ましい。
【００５２】
ミスト生成手段３１Ｂは、ガス供給手段１１Ｂから供給されるガスと、液体供給手段２１Ｂから供給される液体とを粉砕溶解（液体を粉砕し微細な液滴にしてガスと接触混合させること）してミストを生成する装置である。この際生成するミストの粒径は、１０μｍ以下であるのが好ましい。このミスト生成手段３１Ｂとしては、ミストを発生させる既存の装置を適用可能である。例えば、流体ノズルを用いた装置（図５参照）が好適である。あるいは、液体中にガスを高圧で噴射することによりミストを生成する装置（図６参照）等、ある程度ミストを加圧して供給することが可能な装置が適している。
【００５３】
加圧手段４１Ｂは、ガス供給手段１１Ｂ´から供給されるガスを加圧してチャンバ５１に供給する手段であり、例えばコンプレッサを用いるのが好適である。また、この加圧手段４１Ｂは、チャンバ５１内の酸素濃度の調整のために、自然給気を行った空気をチャンバ内に加圧して供給することも可能である。
【００５４】
本実施形態では、任意の濃度で酸素を含有するガスにミスト生成手段３１が生成したミストを混合させてチャンバ５１内に供給すると共に、さらにガスを加圧手段４１Ｂによってチャンバ５１内に加圧供給する。加圧手段４１Ｂは、制御装置７１の制御によりチャンバ５１内の環境によって、自然給気や任意の濃度で酸素を含有するガスのみをチャンバ５１に送り込むことができる。
【００５５】
なお、第１の実施形態と同様に、ミスト生成手段３１及びチャンバ５１管を繋ぐミスト供給管は、当該ミスト供給間内部において粒径の小さなミストだけがチャンバ５１内に供給されるようにするために、さらにはミスト供給管の可撓性（曲げ易さ）を得るために所謂ジャバラホースの形状とすると良い。
【００５６】
このように構成することにより、人体への酸素の吸収を促進させることができる。また、ミストに薬剤を含有させた場合にはさらに薬剤の作用を付加することが可能となる。
【００５７】
〔第３の実施形態〕
次に、本発明の第３の実施形態について説明する。本実施形態では、ミスト生成手段をチャンバ内に設ける構成の酸素浴システム１Ｃについて説明する。なお、図１に示す第１の実施形態と同一の部分については、同一の符号を付して詳細な説明は省略する。特に、以下では、チャンバへのミストとガスの供給手段（ガス供給手段１１、液体供給手段２１、ミスト生成手段３１、加圧手段４１）の構成が異なる以外は上記図１と同様の構成とする。
【００５８】
図４は、本発明の第３の実施形態に係る酸素浴システムの全体概略図である。この図に示すように、本実施形態の酸素浴システム１Ｃは、加圧手段４１Ｃに任意の濃度で酸素を含有するガスを供給するガス供給手段１１Ｃと、ミスト生成手段３１Ｃに液体を供給する液体供給手段２１Ｃと、供給された液体からミストを生成するミスト生成手段３１Ｃと、ガス供給手段１１Ｃから供給されたガスを加圧してチャンバ５１に供給する加圧手段４１Ｃと、人体を収容するチャンバ５１と、チャンバ５１内をモニタするセンサ６１と、チャンバ５１内の環境制御を行う制御装置７１と、から構成される。
【００５９】
ガス供給手段１１Ｃは、加圧手段４１Ｃに任意の濃度で酸素を含有するガスを供給するための手段であり、例えば、酸素ボンベや酸素濃縮装置が好適である。このガス供給手段１１Ｃには、図示しないが圧力調整のためのレギュレータが設けられる。さらに、温度制御のために温度計（図示せず）やガスを加温するためのヒータ（図示せず）を配置しても良い。
【００６０】
液体供給手段２１Ｃは、ポンプ等から構成され、ミスト生成手段３１Ｃに液体を供給する。ここで供給する液体は、第１の実施形態と同様である。この液体供給手段２１Ｃには、温度制御のために温度計（図示せず）や液体を加温するためのヒータ（図示せず）を配置するのが望ましい。なお、ここでは液体供給手段２１Ｃをチャンバ５１の外部に設けるよう図示したが、チャンバ５１内に配置しても良い。
【００６１】
ミスト生成手段３１Ｃは、液体供給手段２１Ｃから供給される液体からミストを生成する装置である。この際生成するミストの粒径は、１０μｍ以下であるのが好ましい。このミスト生成手段３１Ｃとしては、ミストを発生させる既存の装置を適用可能である。ガス流を利用することなくミストを生成可能な装置、特に、超音波を利用してミストを生成する装置（図７参照）が好適であるが、ガス流を利用する場合は、図４に点線で示すようにガス供給手段１１Ｃからガスの供給を受ける。なお、注意点としては、本実施形態のミスト生成手段３１Ｃはチャンバ５１内に配置されるため耐圧性の装置である必要がある。
【００６２】
加圧手段４１Ｃは、ガス供給手段１１Ｃから供給されるガスを加圧してチャンバ５１に供給する手段であり、例えばコンプレッサを用いるのが好適である。また、この加圧手段４１Ｃは、チャンバ５１内の酸素濃度の調整のために、自然給気を行った空気をチャンバ内に加圧して供給することも可能である。
【００６３】
本実施形態では、任意の濃度で酸素を含有するガスを加圧手段４１Ｃによってチャンバ５１内に加圧供給すると共に、チャンバ５１内でミスト生成手段３１Ｃによりミストを発生させる。加圧手段４１Ｃは、制御装置７１の制御によりチャンバ５１内の環境によって、自然給気や任意の濃度で酸素を含有するガスのみをチャンバ５１に送り込むことができる。
【００６４】
このように構成することにより、人体への酸素の吸収を促進させることができる。また、ミストに薬剤を含有させた場合にはさらに薬剤の作用を付加することが可能となる。
【００６５】
上記のように、本発明の酸素浴システムによれば、人体を収容するチャンバ内に高濃度酸素と共に液体のミストを所定の圧力値で供給することで、人体の皮膚及び粘膜から効率よく酸素及びミストを吸収させ、酸素浴の効能の向上を図ることが可能となる。
【００６６】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００６７】
本発明は、人体を収容する折り畳み可能なチャンバ内に高濃度酸素と液体のミストを所定の圧力値で供給し、人体の皮膚及び粘膜から高濃度酸素及びミストを吸収させる酸素浴システムに関し、産業上の利用可能性を有する。
【符号の説明】
【００６８】
１Ａ、１Ｂ、１Ｃ    酸素浴システム
１１Ａ、１１Ｂ、１１Ｂ´、１１Ｃ    ガス供給手段
２１Ａ、２１Ｂ、２１Ｃ    液体供給手段
３１Ａ、３１Ｂ、３１Ｃ    ミスト生成手段
３０１、３１１、３２１    ミスト生成手段
３０２    流体ノズル
３０３、３１３、３２３    貯留部
３０４、３１４、３２４    ミスト排出口
３１２    ガス放出口
３２２    超音波振動子
４１Ａ、４１Ｂ、４１Ｃ    加圧手段
５１    チャンバ
５２    載置部
５３    開閉部
５４    供給口
５５    安全弁
５６    排気弁
６１    センサ
６２    温度計
６３    圧力センサ
６４    酸素濃度センサ
７１    制御装置
【図１】
2011081121.tif 000003
【図２】
2011081121.tif 000004
【図３】
2011081121.tif 000005
【図４】
2011081121.tif 000006
【図５】
2011081121.tif 000007
【図６】
2011081121.tif 000008
【図７】
2011081121.tif 000009
【国際調査報告】
2011081121.tif 000010
2011081121.tif 000011